(57)【要約】【課題】デジタルフォトプリンタ等において、同時プリント工程等で赤目補正処理を行うことを可能にする。【解決手段】画像データに画像処理を施して、出力画像データとする画像処理において、検定画面で赤目補正を実施するコマを選択し、赤目補正を行うコマは、赤目補正処理後即座に、もしくは、全赤目コマの処理終了後に、赤目補正結果の表示および確認を行うことにより、前記課題を解決する。【選択図】図４
2004112390.tif 000002
【特許請求の範囲】
【請求項１】
画像データに画像処理を施して、出力画像データとする画像処理において、前記画像データに対応する検定画像を表示し、かつ、表示した検定画像の中から赤目補正処理を行う赤目コマを指示する手段を兼ねる検定画面を、ディスプレイに表示し、
前記検定画面を用いた所定コマ数の検定終了の指示に応じて、検定を終了した各コマの画像データについて、順次、出力画像データを得るための画像処理を行うと共に、前記赤目コマには、さらに赤目補正処理を行い、
かつ、前記赤目コマについては、赤目補正処理を終了した時点で、赤目補正処理結果の確認画像を前記ディスプレイに表示し、赤目補正確認完了の指示に応じて、次コマに対する画像処理を行うことを特徴とする画像処理方法。
【請求項２】
画像データに画像処理を施して、出力画像データとする画像処理において、
前記画像データに対応する検定画像を表示し、かつ、表示した検定画像の中から赤目補正処理を行う赤目コマを指示する手段を兼ねる検定画面を、ディスプレイに表示し、
前記検定画面を用いた所定コマ数の検定終了の指示に応じて、検定を終了した各コマの画像データについて、順次、出力画像データを得るための画像処理を行うと共に、前記赤目コマには、さらに赤目補正処理を行い、
かつ、全ての前記赤目コマの赤目補正処理を終了した後に、各赤目コマの赤目補正処理結果の確認画像を前記ディスプレイに表示することを特徴とする画像処理方法。
【請求項３】
出力画像データを得るために、写真フィルムの各コマに対して、プレスキャンおよびファインスキャンの２回の光電的な画像読取を行い、かつ、前記プレスキャンは１件分の全コマを連続して行い、他方、前記ファインスキャンは、前記所定コマ数毎の検定終了の指示に応じて行い、
前記プレスキャンの画像データを用いて、前記検定画像を作成し、さらに、前記ファインスキャンの画像データを用いて、前記出力画像データを得るための画像処理および赤目補正処理を行う請求項１または２に記載の画像処理方法。
【請求項４】
出力画像データを得るために、各コマに対して一回の光電的な画像読取を写真フィルムの一件分行い、
前記画像読取による画像を縮小した画像データを用いて、前記検定画像の作成を行い、さらに、前記画像読取による画像データを用いて、前記出力画像データを得るための画像処理および赤目補正処理を行う請求項１または２に記載の画像処理方法。
【請求項５】
前記検定画面に、各コマにおける赤目発生の有無を判定するための補助情報を表示する請求項１〜４のいずれかに記載の画像処理方法。
【請求項６】
前記赤目補正処理は、画像中の顔抽出を行った後に、抽出した顔から赤目を検出して、赤目を修正するものであり、
かつ、前記顔抽出は検定画像の作成に用いた画像データで行い、前記赤目検出は、出力画像データを得るための画像データで行う請求項１〜５のいずれかに記載の画像処理方法。
【発明の詳細な説明】
【０００１】
【発明の属する技術分野】
本発明は、画像処理による赤目補正の技術分野に属し、詳しくは、同時プリント工程における赤目補正処理の実施を可能にする画像処理方法に関する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して露光する、いわゆる直接露光が主流である。
これに対し、近年では、フィルムに記録された画像を光電的に読み取って、読み取った画像をデジタル信号とした後、種々の画像処理を施して記録用の画像データとし、この画像データに応じて変調した記録光によって感光材料を露光してプリントとして出力するデジタルフォトプリンタが実用化されている。
【０００３】
デジタルフォトプリンタは、基本的に、フィルムに記録された画像を光電的に読み取るスキャナ（画像読取装置）、および、スキャナが読み取った画像データに画像処理を施して出力のための画像データとする画像処理装置を有する入力機と、画像処理装置から出力された画像データに応じて、例えば光ビーム走査によって感光材料を露光して潜像を記録し、現像処理を施して（仕上り）プリントとする出力機（プリンタ／プロセサ）とから構成される。
【０００４】
デジタルフォトプリンタは、フィルムに撮影された画像を光電的に読み取って、画像をデジタルの画像データとして、画像の処理や感光材料の露光を行う。そのため、フィルムに撮影された画像のみならず、デジタルカメラ等で撮影された画像（画像データ）からも、プリントの作成を行うことができる。
また、画像データ処理による画像の処理を行うので、非常に好適に色や濃度を補正できるばかりか、シャープネス処理などの通常の直接露光のプリンタでは基本的に不可能な画像処理を行って、高画質な画像を得ることができる。
さらに、デジタルフォトプリンタでは、プリントのみならず、画像データを画像ファイルとしてＣＤ−Ｒ等の記録媒体に出力することも行われている。
【０００５】
ところで、ポートレート等の人物を含む画像において、画質を左右する最も重要な要素は人物の仕上りである。従って、撮影時のストロボ発光の影響によって、人物の目（瞳）が赤になる赤目現象は重大な問題となる。
直接露光のフォトプリンタでは、赤目を修正するためには、色材等を用いてフィルムを修正する必要があり、すなわち、技術を有するオペレータが手間と時間をかけて修正を行う。そのため、同時プリントなどの際に赤目の修正を行うことは、実質的に不可能である。
【０００６】
これに対して、デジタルフォトプリンタにおいては、フィルムには何ら手を加えることなく、画像解析および画像データの処理によって赤目の補正を行うことができる。例えば、オペレータによる切り出しや位置指定、画像解析を利用する自動抽出等によって、赤目となっている瞳を検出し、その瞳（その画像データ）を色変換して赤目を修正することで、赤目の補正処理が行われる。
【０００７】
【発明が解決しようとする課題】
このような赤目補正は、比較的演算量の多い、時間のかかる処理である。また、現状では、全自動で確実に赤目を補正することは、技術的に困難であり、何らかの選択、確認、追加、修正機能が必要である。
そのため、赤目補正機能を有するデジタルフォトプリンタであっても、いわゆる同時プリント等の際に赤目補正処理を実施するのは、生産性やコスト等の点で困難であり、赤目補正処理は、主に、リメイク工程（ＮＧプリントの焼き直し）やリプリント工程（顧客に依頼された焼き増し）でしか実施されていないのが、現状である。
【０００８】
本発明の目的は、前記従来技術の問題点を解決することにあり、デジタルフォトプリンタを利用するプリント業者（ラボ店などの）において、最も定常的な工程である、いわゆる同時プリント工程において、良好な操作性および生産性で、赤目補正処理を含むプリント作成を行うことができる画像処理方法を提供することにある。
【０００９】
【課題を解決するための手段】
前記課題を解決するために、本発明の画像処理方法の第１の態様は、画像データに画像処理を施して、出力画像データとする画像処理において、前記画像データに対応する検定画像を表示し、かつ、表示した検定画像の中から赤目補正処理を行う赤目コマを指示する手段を兼ねる検定画面を、ディスプレイに表示し、前記検定画面を用いた所定コマ数の検定終了の指示に応じて、検定を終了した各コマの画像データについて、順次、出力画像データを得るための画像処理を行うと共に、前記赤目コマには、さらに赤目補正処理を行い、かつ、前記赤目コマについては、赤目補正処理を終了した時点で、赤目補正処理結果の確認画像を前記ディスプレイに表示し、赤目補正確認完了の指示に応じて、次コマに対する画像処理を行うことを特徴とする画像処理方法を提供する。
【００１０】
また、本発明の画像処理方法の第２の態様は、画像データに画像処理を施して、出力画像データとする画像処理において、前記画像データに対応する検定画像を表示し、かつ、表示した検定画像の中から赤目補正処理を行う赤目コマを指示する手段を兼ねる検定画面を、ディスプレイに表示し、前記検定画面を用いた所定コマ数の検定終了の指示に応じて、検定を終了した各コマの画像データについて、順次、出力画像データを得るための画像処理を行うと共に、前記赤目コマには、さらに赤目補正処理を行い、かつ、全ての前記赤目コマの赤目補正処理を終了した後に、各赤目コマの赤目補正処理結果の確認画像を前記ディスプレイに表示することを特徴とする画像処理方法を提供する。
【００１１】
このような本発明の画像処理方法においては、出力画像データを得るために、写真フィルムの各コマに対して、プレスキャンおよびファインスキャンの２回の光電的な画像読取を行い、かつ、前記プレスキャンは１件分の全コマを連続して行い、他方、前記ファインスキャンは、前記所定コマ数毎の検定終了の指示に応じて行い、前記プレスキャンの画像データを用いて、前記検定画像を作成し、さらに、前記ファインスキャンの画像データを用いて、前記出力画像データを得るための画像処理および赤目補正処理を行うのが好ましく、もしくは、出力画像データを得るために、各コマに対して一回の光電的な画像読取を写真フィルムの一件分行い、前記画像読取による画像を縮小した画像データを用いて、前記検定画像の作成を行い、さらに、前記画像読取による画像データを用いて、前記出力画像データを得るための画像処理および赤目補正処理を行うのが好ましい。
【００１２】
さらに、このような本発明の画像処理方法において、前記検定画面に、各コマにおける赤目発生の有無を判定するための補助情報を表示するのが好ましく、さらに、前記赤目補正処理は、画像中の顔抽出を行った後に、抽出した顔から赤目を検出して、赤目を修正するものであり、かつ、前記顔抽出は検定画像の作成に用いた画像データで行い、前記赤目検出は、出力画像データを得るための画像データで行うのが好ましい。
【００１３】
【発明の実施の形態】
以下、本発明の画像処理方法について、添付の図面に示される好適実施例を基に詳細に説明する。
【００１４】
図１に、本発明の画像処理方法を実施するデジタルフォトプリンタの一例のブロック図が示される。
【００１５】
図１に示されるデジタルフォトプリンタ１０（以下、フォトプリンタ１０とする）は、（写真）フィルムＦに撮影された画像を光電的に読み取り、あるいは、デジタルカメラ等で撮影された画像の画像データ（画像ファイル）を取得して、（写真）プリントとして出力するもので、基本的に、スキャナ１２、画像処理装置１４、およびプリンタ２２を有して構成される。
【００１６】
スキャナ１２は、フィルムＦの各コマに撮影された画像を光電的に読み取る装置で、図２の概念図に示すように、光源２４、ドライバ２６、拡散ボックス２８、キャリア３０、結像レンズユニット３２、読取部３４、アンプ（増幅器）３６、およびＡ／Ｄ（アナログ／デジタル）変換器３８を有して構成される。
【００１７】
図示例のスキャナ１２において、光源２４は、ＬＥＤ（Ｌｉｇｈｔ　Ｅｍｉｔｔｉｎｇ　Ｄｉｏｄｅ）を利用するもので、Ｒ（赤）光、Ｇ（緑）光およびＢ（青）光の各読取光を出射する３種のＬＥＤが配列されて構成される。このような光源２４は、ドライバ２６によって駆動され、Ｒ、ＧおよびＢの各読取光が、順次、出射される。
拡散ボックス２８は、読取光をフィルムＦの面方向で均一にするもので、例えば、内面ミラーの四角柱と、四角柱の一面を閉塞する拡散板等で構成される。
【００１８】
キャリア３０は、フィルムＦを断続的に搬送して、フィルムＦに撮影された各コマ（各画像）を、順次、所定の読取位置に搬送／保持するもので、１３５サイズ用やＡＰＳ（ＩＸ２４０）用など、フィルムＦのサイズや種類に応じた複数種が用意され、スキャナ１２の本体に着脱自在に構成される。
【００１９】
図示例において、キャリア３０は、基本的に、搬送ローラ対４０ａおよび４０ｂと、所定の読取位置において各コマの読取領域を規制するマスク４２、およびフィルムＦの押え部材としても作用するマスク４４とを有して構成される。
搬送ローラ対４０ａおよび４０ｂは、公知の（写真）フィルム用の搬送ローラ対で、所定の読取位置をフィルムＦの搬送方向に挟んで配置される。図示例のスキャナ１２は、面露光で画像読取を行うので、搬送ローラ対４０ａおよび４０ｂは、フィルムＦを長手方向に断続的に搬送することにより、フィルムＦに撮影された各コマを１コマずつ、順次、読取位置に搬送する。
【００２０】
読取位置に位置されたコマを通過した光（画像を担持する投影光）は、結像レンズユニット３２に入射する。結像レンズユニット３２は、フィルムＦの投影光を読取部３４（エリアＣＣＤセンサの受光面）に結像するものである。
読取部３４は、エリアＣＣＤセンサを用いて、フィルムＦに撮影された画像を光電的に読み取るもので、キャリア３０のマスク４２で規制された１コマの全面を読み取る（面露光による画像読取）。
読取部３４からの画像信号は、アンプ３６で増幅され、Ａ／Ｄ変換器３８によってデジタルの画像信号に変換されて、画像処理装置１４に出力される。
【００２１】
このようなスキャナ１２において、フィルムＦを読み取る際には、まず、キャリア３０によってフィルムＦを搬送し、読み取りを行うコマを読取位置に搬送し、停止する。
次いで、ドライバ２６による作用の下、例えば、光源２４のＲのＬＥＤを駆動して、Ｒ光を出射する。Ｒ光は、拡散ボックス２８でフィルムＦの面方向で光量を均一にされた後、読取位置に保持されるコマに入射、透過して、このコマに撮影された画像を担持する投影光となる。この投影光は、結像レンズユニット３２によって読取部３４に結像され、このコマのＲ画像が光電的に読み取られる。
以下、同様にして、光源２４のＧおよびＢのＬＥＤを、順次、発光して、このコマのＧ画像およびＢ画像の読み取りを行う。
【００２２】
１コマの読み取りを終了したら、キャリア３０によってフィルムＦを搬送して、次に読み取るコマを読み取り位置に搬送して、停止し、同様に読み取りを行うことを繰り返し、フィルムＦの全コマの読み取りを行う。
【００２３】
ここで、フォトプリンタ１０においては、フィルムＦの画像を読み取り、処理するモードとして、通常モードと、高速モードとを有する。両モードは、公知の方法で選択自在にされている。
【００２４】
通常モードとは、１コマにつき、プリント等の出力のために高解像度で画像を読み取るファインスキャンと、ファインスキャンの読取条件や画像処理装置１４（画像処理部６２等）における画像処理条件を決定するために、ファインスキャンに先立って行われる、低解像度での画像読取であるプレスキャンとの、２回の画像読取を行うモードである。
図示例においては、一例として、キャリア３０でフィルムＦを１往復することにより、往路で最終コマ（あるいは１コマ目）からプレスキャンを行い、復路で１コマ目（あるいは、最終コマ）から、ファインスキャンを行う。従って、プレスキャンとファインスキャンとでは、コマの読取順が逆になる。また、後に詳述するが、図示例のフォトプリンタは、一例として、６コマずつ検定を行うものであり、プレスキャンは、フィルム１本の全コマ（１件）を連続的に行うが、ファインスキャンは、この６コマ単位の検定の終了に応じて行われる。
なお、ファインスキャンとプレスキャンは、往路と復路で行うのに限定はされず、１コマ目からのプレスキャン終了後、フィルムを１コマ目まで戻して、プレスキャンと同方向に搬送してファンスキャンを行ってもよい。
【００２５】
一方、高速モードとは、生産性を向上するためのモードであり、プレスキャンを行わずに、ファインスキャンのみを行う。図示例においては、前述のように、キャリア３０によってフィルムを一方向にのみ断続的に搬送して、フィルム１本の全コマのファインスキャンを連続的に行う。
また、高速モードの際には、ファインスキャンに先立って、フィルムＦの各コマを全面的にプレ測光（透過光量測定、もしくは、濃度測定）し、ファインスキャンの読取条件を、例えば、図示しないスキャナ１２の制御部が決定する。
図示例においては、読取部３４のエリアＣＣＤセンサにおいて、フィルム搬送方向の最上流（マスク通過領域の最上流）で、フィルム搬送方向と直交する方向の１つの画素列をラインセンサとして用い、フィルムＦの各コマを読取位置に搬送する際に、このラインセンサで測光を行って各コマ毎にプレ測光を行う。なお、プレ測光の方法は、これに限定はされず、読取位置の上流にプレ測光用のセンサを設けてもよいのは、もちろんである。
【００２６】
なお、通常モードおよび高速モード共に、ファインスキャンの読取条件は、公知の方法で決定すればよく、例えば、プレスキャンやプレ測光の結果から、ハイライトでエリアＣＣＤセンサが飽和しない光源光量や蓄積時間を、適宜、決定すればよい。
また、デジタルカメラ等で撮影された画像データからのプリント作成は、基本的に、高速モードに対応する処理によって、画像処理等を行う。
【００２７】
本発明を実施するフォトプリンタ１０において、スキャナは、図示例に限定はされず、公知のスキャナが全て利用可能である。
従って、図示例のような３原色のＬＥＤ光源ではなく、白色光源と３原色のフィルタを用いて、３原色の読取光をフィルムに入射するものであってもよい。また、エリアＣＣＤセンサを用いた面露光による読み取りを行うスキャナ以外にも、ラインＣＣＤセンサを用いて、スリット走査によってフィルムＦを光電的に読み取るスキャナであってもよい。
【００２８】
前述のように、スキャナ１２から出力されたデジタルの画像信号は、画像処理装置１４に出力される。
画像処理装置１４は、スキャナ１２から送られた画像信号や、デジタルカメラ等による撮影画像の画像データ（画像ファイル）に、所定の画像処理を施して、出力用の画像データとするものである。
【００２９】
図示例において、画像処理装置１４は、基本的に、信号処理部５０、プレスキャン（フレーム）メモリ５２、ファインスキャン（フレーム）メモリ５４、入力処理部５６、セットアップ部５８、検定処理部６０、画像処理部６２、ならびに、データ変換部６４および６６を有して構成される。また、画像処理部６２は、赤目補正手段７０を有している。
また、画像処理装置１４には、検定画面等を表示するモニタ１８、ならびに、後述する赤目補正を行うコマの指定、各種の入力指示等を行うための操作系２０（キーボード２０ａおよびマウス２０ｂ）が接続される。
【００３０】
スキャナ１２から送られた画像信号は、信号処理部５０に送られる。
信号処理部５０は、供給された画像信号に、暗時補正、ＤＣオフセット補正、シェーディング補正等の所定の信号補正を施した後、ルックアップテーブル（以下、ＬＵＴとする）等を用いてｌｏｇ変換して、画像（濃度）データとする。また、信号処理部５０は、高速モードの際には、ｌｏｇ変換したファインスキャンの画像データを間引き等によって縮小して、プレスキャンの画像データに相応する縮小画像データを生成する。
信号処理部５０は、処理したプレスキャンの画像データおよび高速モードの縮小画像データ（以下、両者を共にプレスキャンデータとする）をプレスキャンメモリ５２（以下、ｐＦＭ５２とする）に、同ファンスキャンの画像データ（以下、ファインスキャンデータとする）をファインスキャンメモリ５４（以下、ｆＦＭ５４とする）に送り、記憶させる。
【００３１】
前述のように、フォトプリンタ１０は、デジタルカメラ等で撮影された画像の画像データからもプリントの作成等を行うことができる。
デジタルカメラで撮影された画像の画像データは、通常、スマートメディアＴＭやコンパクトフラッシュＴＭ等の記録媒体に記録される。この画像データからのプリント作成等をフォトプリンタプリンタ１０で行う場合には、フォトプリンタ１０に接続された図示しない読取手段によって記録媒体を読み取り、その画像データ（画像ファイル）を入力処理部５６に送る。また、フォトプリンタ１０においては、インターネット等の通信手段や、デジタルカメラから直接、入力処理部５６に画像データを送ってもよい。
【００３２】
入力処理部５６は、供給された画像データを記憶すると共に、記憶した画像データをフォトプリンタ１０に対応する画像データに変換して、この画像データをファインスキャンデータとしてｆＦＭ５４に記憶させ、また、ファインスキャンデータを間引いてプレスキャンデータを生成して、ｐＦＭ５２に記憶させる。
【００３３】
セットアップ部５８は、ｐＦＭ５２が記憶したプレスキャンデータを読み出して、プレスキャンデータを用いた画像解析を行って、検定処理部６０および画像処理部６２における画像処理条件を決定する。また、通常モードの際には、セットアップ部５８は、プレスキャンデータを用いて、ファインスキャンの読取条件を決定してスキャナ１２に送る。
なお、画像処理条件の設定方法、および、画像処理方法は、公知の方法によればよい。また、セットアップ部５８は、検定の際にオペレータによる画像の修正が入った場合には、それに応じて、検定処理部６０および画像処理部６２における画像処理条件を修正する。
【００３４】
検定処理部６０は、ｐＦＭ５２からプレスキャンデータを読み出し、所定の画像処理を施して、検定画像（仕上がり予測画像）の画像データ（以下、検定画像データとする）とし、データ変換部６４に送るものである。
検定処理部６０におけるプレスキャンデータの画像処理は、後述する画像処理部６２における画像処理に準じた検定画像の生成に対応するものであり、また、画像処理条件も、基本的に、画像処理部６２と同じである。
【００３５】
検定画像データを供給されたデータ変換部６４は、これを三次元（３Ｄ）−ＬＵＴ等で変換して、ディスプレイ１８による画像表示に応じた画像データとし、検定画像として、ディスプレイ１８に表示する。
さらに、データ変換部６４は、後述する赤目コマの画像データを画像処理部６２から供給された際には、この画像を変換して、赤目補正結果の確認画像をディスプレイ１８に表示する。
【００３６】
後に詳述するが、本発明にかかるフォトプリンタ１０においては、この検定画像を表示した画面（検定画面）が、赤目補正処理を行うコマの指示（赤目コマの指示）の画面を兼ねている。従って、検定画像が表示されると、検定と共に、オペレータによる赤目コマの指示が行われる。
なお、赤目コマの指示方法には、特に限定はなく、マウス２０ｂを用いたクリック等、公知の方法で行えばよい。
【００３７】
ここで、本発明においては、この検定画面には、検定画像と共に、赤目の発生を判定するための補助情報が、各コマ毎に、表示されるのが好ましい。
補助情報の表示方法には、特に限定はなく、例えば、画面上に赤目が発生している可能性がある旨を表示する、赤目発生の可能性を有することを示すマークを信号を表示する、検定画像の枠を点滅する等の方法が例示される。
また、赤目発生の可能性は、例えば、画像解析の結果を利用して、アンダーの度合い、平均濃度、ダイナミックレンジ、顔抽出結果、Ｒ，ＧおよびＢの各画像データの最大値および最小値等を用いて、セットアップ部５８が推測する。また、ＡＰＳの磁気情報やデジタルカメラの画像ファイルのタグに、撮影時におけるストロボ発光の有無の情報が記録されている場合には、これを利用してもよい。さらに、補助情報として、上記各画像解析の情報を表示してもよい。
【００３８】
他方、画像処理部６２は、ｆＦＭ５４からファインスキャンデータを読み出し、画像処理を施して、プリント画像などの出力画像に対応する画像データ（以下、出力画像データとする）として、データ変換部６６等に送るものである。
画像処理部６２で施す画像処理には、特に限定はなく、電子変倍処理（拡大／縮小処理）、階調変換、色／濃度補正、シャープネス処理（鮮鋭化処理）、覆い焼き処理（画像濃度ダイナミックレンジの圧縮処理）等が例示される。また、画像処理部６２は、赤目補正手段７０を有しており、赤目コマに関しては、上記各種の画像処理に加え、赤目補正処理も行う。
【００３９】
赤目補正手段７０における赤目補正処理には、特に限定はなく、公知の方法が、各種、利用可能である。
一例として、画像データから、画像中の赤目を画像解析によって自動検出（赤目検出）して、さらに、その修正（赤目修正）を画像処理によって自動的に行う、全自動の赤目補正処理方法が例示される。
【００４０】
赤目検出の方法には、特に限定はなく、公知の方法が各種利用可能である。
一例として、顔抽出を行い、抽出した顔から瞳および／または赤目を検出する方法が例示される。
【００４１】
顔抽出は、公知の方法で行えばよく、例えば、エッジ検出や形状パターン検出による顔検出方法；　色相抽出や肌色抽出による顔検出方法；　候補領域を抽出して、この候補領域を小領域に分割して、各領域毎の特徴量を予め設定した顔領域パターンと照合して、その確度から顔領域を抽出する方法（特開２０００−１３７７８８号公報参照）；　顔候補領域を抽出して、各候補領域の重複度から確度を評価して顔領域を抽出する方法（特開２０００−１４９０１８号公報参照）；　顔候補領域を抽出して、各候補領域の濃度が所定の閾値に対応する値である場合に、胴体候補領域を抽出し、顔および胴体候補領域の濃度や彩度コントラストを用いて確度を評価して、顔領域を抽出する方法（特開２０００−１４８９８０号公報参照）；　等が例示される。
【００４２】
抽出した顔領域から赤目を検出する方法も、公知の方法で行えばよい。
例えば、エッジ検出、形状パターン検出、位置情報、色相情報等を用いた瞳抽出を行って、色相等から赤目を検出する方法；　エッジ検出、形状パターン検出、位置情報等を用いて目を抽出し、この目の画像データの輝度ヒストグラムから低輝度領域を抽出し、抽出した低輝度領域を収縮処理して瞳の領域を抽出し、色相等から赤目を検出する方法；　顔候補領域をｘｙ平面として各画素毎に色相等を用いた画像特徴量ｚを求め、ｘｙｚの三次元空間を設定してｚ値の山状分布からｘｙ平面を分割して、分割領域毎に形状情報や統計的画像特徴量等から赤目を検出する方法（特開２０００−７６４２７号公報参照）；　等が例示される。
【００４３】
また、検出した赤目の修正方法にも限定はなく、公知の方法で行えばよい。
例えば、検出した赤目の色変換や彩度低下によって赤目を修正する方法；　検出した赤目領域で最小明度の画素に近づけるように、他の全画素の彩度や明度を補正する方法（特開２０００−７６４２７号公報参照）；　等が例示される。
【００４４】
ここで、このような赤目補正処理においては、顔抽出はプレスキャンデータを用いて行い、赤目検出はファインスキャンデータを用いて行うのが好ましい。
このような全自動の赤目補正においては、通常、顔抽出から赤目検出まで、全て、ファインスキャンデータ（高解像度データ）で行われる。しかしながら、これでは、データ量が多く、処理に時間がかかってしまう。
それに対し、顔抽出をプレスキャンデータ（低解像度データ）で行い、その結果を利用して、ファインスキャンデータで赤目検出を行うことにより、処理の高速化を図ることができ、生産性を向上できる。
【００４５】
データ変換部６６は、画像処理部６６から供給された出力画像データを３Ｄ−ＬＵＴ等によって変換して、プリンタ２２による画像記録（感光材料（印画紙）の露光）に対応する画像データにするものである。
【００４６】
なお、画像処理装置１４（フォトプリンタ１０）において、画像データは、プリンタ２２に出力するのに限定はされない。
例えば、データ変換部６６以外に、画像処理部６２が処理した出力画像データをＪＰＥＧ形式等の画像ファイルに変換する手段を設けて、此処で変換した画像データをＣＤ−Ｒ等の記録媒体に記録する手段に画像データを出力して、画像ファイルとして提供してもよい。
【００４７】
データ変換部６６で変換された画像データは、プリンタ２２に出力される。フォトプリンタ１０において、プリンタ２２は、公知のプリンタである。
一例として、感光材料（印画紙）を露光する焼付機と、露光済みの感光材料に現像処理を施す現像機（プロセサ）とからなるプリンタ（プリンタ／プロセサ）が例示される。焼付機は、画像処理装置１４（データ変換部６６）から出力された画像データに応じてＲ，ＧおよびＢの各光ビームを変調し、この光ビームを主走査方向に偏向して所定の記録位置に入射すると共に、この記録位置において、主走査方向と直交する副走査方向に感光材料を搬送することにより、感光材料を二次元的に走査露光して潜像を記録する。他方、現像機は、露光済みの感光材料を焼付機から受け取り、現像、漂白／定着、水洗等の所定の湿式現像処理を施して、乾燥して（仕上がり）プリントとして出力する。
【００４８】
以下、フォトプリンタ１０の作用を説明することにより、本発明について、より詳細に説明する。
前述のように、フォトプリンタ１０には、プレスキャンおよびファンスキャンの２回の画像読取を行う通常モードと、ファインスキャンしか行わない高速モードの２つのモードを有する。まず、図４（Ａ）を参照して、通常モードの一例について説明する。
【００４９】
スキャナ１２のキャリア３０にフィルムＦがセットされ、開始が指示されると、前述のようにして、スキャナ１２が最終コマ（図示例では、２４コマ）から１コマ目までプレスキャンを行う。各コマの画像信号は、画像処理装置１４に送られ、信号処理部５０が処理して、各コマのプレスキャンデータをｐＦＭ５２に記憶させる。
ｐＦＭ５２に全コマのプレスキャンデータが記憶されると、セットアップ部５８が、プレスキャンデータを１コマ目から、順次、読み出し、各コマ毎に、ファインスキャンの読取条件を設定してスキャナ１２に供給し、また、各コマの画像処理条件を設定し、検定処理部６０および画像処理部６２に送る。
【００５０】
１コマ目〜６コマ目の画像処理条件が設定されると、検定処理部６０は、１コマ目から、順次、プレスキャンデータを読み出して、設定された画像処理条件で処理して検定画像データとし、データ変換部６４に送る。
データ変換部６４は、この画像データを変換してディスプレイ表示に対応する画像データとし、検定画像としてディスプレイ１８に表示させる。
【００５１】
図示例においては、一例として、６コマを１つの単位として、図５（Ａ）に模式的に示されるように、６コマの検定画像がディスプレイ１８に表示された時点で、検定処理部６０は、検定画像の作成を停止し、同時に、オペレータによる検定が行われる。
なお、検定の単位となるコマ数と、ディスプレイに一度に表示する検定画像のコマ数とは、必ずしも、一致している必要はない。また、検定画像の表示コマ数は、６コマに限定されないのはもちろんであり、複数コマにも限定はされず、１コマずつ、順次、検定画像を表示してもよい。さらに、表示する検定画像のコマ数や検定の１単位のコマ数は、選択可能であってもよく、また、指示された処理の種類やプリントサイズ等に応じて自動的に変更してもよい。
検定は、通常の（デジタル）フォトプリンタと同様に行われ、必要に応じて、キーボード２０ａやマウス２０ｂ等を用いて、各コマ毎に、画像の色／濃度等が補正され、それに応じて、画像処理条件の変更等が行われる。
【００５２】
また、前述のように、検定画像を表示した検定画面は赤目コマの指示手段（赤目コマの指示画面）も兼ねており、オペレータは、検定画像を見て、赤目が生じていると判断したコマを、マウス２０ｂによるクリック等でマーク（赤目コマの指示）する。図示例においては、○を付したコマ（４コマ目）が赤目コマとしてマークされたとする。なお、本態様のみならず、検定画面には、オペレータによる赤目コマ指示の手助けになるような、補助情報を表示するのが好ましいのは、前述のとおりである。
【００５３】
１コマ〜６コマの検定が終了すると、オペレータによる出力指示（検定ＯＫ）が出され、これによって、該当するコマの画像処理条件が確定し、１コマ目から、　順次、　ファインスキャンおよび画像処理が開始される。
また、画像処理条件の設定が終了していれば、ファインスキャンの開始と同時に、次の６コマ（７コマ目〜１２コマ目）に対する検定画像の作成および表示が開始される。
【００５４】
スキャナ１２がファインスキャンを行うと、先と同様に、各コマの画像信号が画像処理装置１４に送られ、信号処理部５０が処理して、各コマのファインスキャンデータをｆＦＭ５４に記憶させる。
ｆＦＭ５４にファインスキャンデータが記憶されると、画像処理部６２が読み出して、決定された画像処理条件で画像処理を行って、さらに、赤目コマには赤目補正処理を行い、出力画像データとする。
【００５５】
一方で、１コマ目〜６コマ目のファインスキャンおよび画像処理と並行して、検定処理部６０およびデータ変換部６４は、７コマ目〜１２コマ目の検定画像の作成および表示を行い、６コマの検定画像を表示した時点で、先と同様に、検定が行われ、また、赤目コマのマークが行われる。なお、図示例においては、８コマ目と１０コマ目が、赤目コマとしてマークされたとする。
【００５６】
ここで、本態様においては、画像処理部６２は、赤目コマ以外は、ファインスキャンデータの画像処理が終了した時点で出力画像データをデータ変換部６６に送り、次いで、次コマのファインスキャンデータをｆＦＭ５４から読み出して、画像処理を開始する。
【００５７】
これに対し、画像処理部６２は、赤目コマに関しては、画像処理および赤目補正処理を終了した時点で、ディスプレイ１８に対応するデータ変換部６４に、赤目補正前の出力画像データと赤目補正後の出力画像データを送る。また、これに応じて、画像処理装置１４は、検定を中断する。
データ変換部６４は、両画像データをディスプレイ１８による表示に対応する画像データに変換すると共に、両者を並べた赤目補正の確認画面をディスプレイ６４表示させる。図示例においては、７コマ目〜１２コマ目の検定を行っている最中に、赤目コマである４コマ目の処理が終了しているので、この時点で検定が中断され、図５（Ｂ）に示されるように、検定画面の上に重ねるようにして、赤目補正の確認画面が表示される。
【００５８】
確認画面が表示されると、オペレータが赤目補正結果の確認（赤目補正確認）を行い、必要に応じて、赤目補正結果の修正（赤目補正修正）を行う。
例えば、画像中に、他にも赤目補正を行うべき瞳がある場合には、マウス２０ｂ等を用いて「追加」ボタンを押下（クリック）し、それに応じて、赤目補正部が、追加の赤目補正処理を行う。また、赤目を補正した瞳の修正が必要である場合には、「修正」ボタンを押下して、例えば、各種のレタッチソフト等と同様にして、マウス２０ｂ等を用いて修正を行う。
赤目補正がＯＫ（確認完了）であれば、確定ボタンを押下し、このコマに対する画像処理が終了する。
【００５９】
赤目コマに関しては、画像処理部６２は、この確認完了によって、出力画像データとしてデータ変換部６６に送り、次のコマのファインスキャンデータをｆＦＭ５４から読み出して、処理を行う。また、確認完了によって、検定（７コマ目〜１２コマ目）が再開される。
すなわち、ここまでの処理では、４コマ目が赤目コマであるので、画像処理部６２は、１コマ目〜４コマ目までは、前コマの処理が終了した時点で自動的に次コマの処理を開始し、１コマ目〜３コマ目は画像処理を終了したら出力画像データをデータ変換部６６に送り、４コマ目は赤目補正の確認完了に応じて出力画像データをデータ変換部６６に送り、５コマ目は、４コマ目の赤目補正の確認完了により処理が開始される。
【００６０】
データ変換部６６は、この出力画像データを変換してプリンタ２２による画像記録に対応する画像データとして、プリンタ２２に出力し、前述のようにプリンタ２によって、プリントの作成が行われる。データ変換部６６の作用は、これ以降も同じであるので、以下の説明では、省略する。
【００６１】
一方で、先と同様に、７コマ目〜１２コマ目の検定が終了し、かつ、このコマのファインスキャンが可能な状態であれば、このコマに対するファインスキャンおよび画像処理が開始される。また、同時に、次の６コマ（１３コマ目〜１８コマ目）の検定画像の作成および表示が開始される。
６コマの検定画像が作成されると、ファインスキャンおよび画像処理と並行して、１３コマ目〜１８コマ目の検定および赤目コマのマークが開始される（この６コマには、赤目コマは無し）。
【００６２】
前述のように、この時点でファインスキャンおよび画像処理が進行している７コマ目〜１２コマ目では、８コマ目と１０コマ目が赤目コマとしてマークされている。
従って、それ以外のコマは、画像処理が終了した時点で、画像処理部６２からデータ変換部６６に出力画像データが送られ、次のコマの処理が開始される。
他方、８コマ目と１０コマ目には、画像処理に加えて赤目補正処理が施され、処理が終了すると、先と同様に、検定（１３コマ目〜１８コマ目）が中断されて、図５（Ｂ）に示されるような赤目補正の確認画面の表示、修正および確認が行われ、赤目補正の確認完了により、画像処理部６２は、出力画像データをデータ変換部６６に送り、次のコマ（９コマ目および１１コマ目）のファインスキャンデータの処理を行い、また、１３コマ目〜１８コマ目の検定が再開される。
【００６３】
以下、同様に、１３コマ目〜１８コマ目の検定が終了すると、このコマに対するファインスキャンが可能な状態であれば、ファインスキャンおよび画像処理が開始され、同時に、１９コマ目〜２４コマ目の検定画像の作成が開始される。
また、１９コマ目〜２４コマ目の検定画像が表示されると、検定および赤目コマのマークが行われ、検定終了と共に、可能であれば、ファインスキャンおよび画像処理を行い、出力画像データをデータ変換部６６に送る。
【００６４】
次いで、高速モードについて図４（Ｂ）を参照して、その一例を説明する。
なお、通常モードと高速モードは、検定の操作や赤目補正確認など、同様の作用および操作も多いので、以下の説明では、説明を簡潔にし、かつ作用を明瞭にするために、同じ点は省略して異なる点を主に行う。
【００６５】
前述のように、高速モードでは、キャリア３０にフィルムＦが装填され、開始が指示されると、スキャナ１２は、１件の全コマすなわち１コマ目から２４コマ目まで、連続的にファインスキャンを行う。なお、ファインスキャンの前にプレ測光が行われ、その結果に応じて、ファインスキャンの読取条件が決定されるのは、前述のとおりである。
【００６６】
ファインスキャンで得られた画像信号は、スキャナ１２から画像処理装置１４の信号処理部５０に送られる。信号処理部５０は、画像信号を先と同様に処理してファインスキャンデータとする。また、ファインスキャンデータを間引いてプレスキャンデータを生成し、プレスキャンデータはｐＦＭ５２に、ファインスキャンデータはｆＦＭ５４に、それぞれ記憶させる。
さらに、プレスキャンデータがｐＦＭ５２に記憶されると、セットアップ部５８が読み出して、各コマの画像処理条件を設定し、検定処理部６０および画像処理部６２に設定する。
【００６７】
最初の６コマ（１コマ目〜６コマ目）のファインスキャンおよび画像処理条件の設定が終了したら、検定処理部６０がｐＦＭ５２からプレスキャンデータを読み出して画像処理を行い、検定画像データをデータ変換部６４に送って検定画像として表示させる。
先と同様に、この６コマの検定画像が表示されると、オペレータによって、１コマ目〜６コマ目の検定および赤目コマのマークが行われ、検定が終了すると、出力指示が出される。本例でも、先と同様に、４コマ目が、赤目コマとしてマークされている。
【００６８】
１コマ目〜６コマ目の検定が終了し、出力指示がされると、画像処理部６２が、１コマ目からファインスキャンデータを読み出し、画像処理を行う。
また、前の６コマの検定が終了し、かつ次の６コマ（７コマ目〜１２コマ目）のファインスキャンが終了した時点で、この６コマの検定画像が作成、表示され、６コマの検定画像が表示されると、この６コマに対する検定および赤目のマーク（先と同様に、８コマ目と１０コマ目にマーク）が行われる。
【００６９】
ここで、画像処理部６２での処理は、高速モードにおいても前記通常モードと同様である。
すなわち、赤目コマ以外は、画像処理を終了した時点で出力画像データとしてデータ変換部６６に送って、次のコマの処理を開始する。他方、赤目コマに対しては、赤目補正処理を終了した時点で、赤目補正前後の出力画像データをデータ変換部６４に送り、検定を中断してディスプレイ１８に前記図５（Ｂ）のような赤目確認画面を表示し、赤目補正確認および必要に応じた修正がオペレータによって行われ、赤目補正結果の確認完了に応じて、出力画像データをデータ変換部６６に送り、次のコマの処理を開始する。
【００７０】
本例では、４コマ目が赤目コマとしてマークされているので、画像処理部６２は、１コマ目〜３コマ目までは、画像処理が終了すると出力画像データとしてデータ変換部６６に送り、次のコマを読み出して、画像処理を行う。
他方、画像処理部６２は、４コマ目は、画像処理を行った後に赤目補正前後の出力画像データをデータ変換部６４に送る。これにより、７コマ目〜１２コマ目の検定が中断され、ディスプレイ１８に確認画面が表示され、赤目補正確認や修正が行われる。さらに、赤目補正の確認完了によって、画像処理部６２は、赤目補正済みの出力画像データをデータ変換部６６に送り、次の５コマ目のファインスキャンデータの処理を行い、また、検定が再開する。
【００７１】
１コマ目〜６コマ目までの出力画像データの出力が終了し、かつ、７コマ目〜１２コマ目までの検定が終了すると、画像処理部６２は、７コマ目から、ファインスキャンデータの画像処理を開始する。
他方、７コマ目〜１２コマ目までの検定が終了し、かつ、１３コマ目〜１８コマ目までのファインスキャンが終了すると、目検定処理部６０が１３コマ目〜１８コマの検定画像を作成・表示し、６コマの検定画像の表示で、これに対する検定および赤目コマのマークが行われる（赤目コマ無し）。
【００７２】
ここで、７コマ目〜１２コマ目では、８コマ目と１０コマ目が赤目コマとしてマークされているので、それ以外のコマは、画像処理の終了と共に出力画像データをデータ変換部６６に送り、次のコマの処理を開始する。他方、８コマ目および１０コマ目に関しては、画像処理に加えて赤目補正処理を行い、確認画面において、赤目処理前後の画像を表示し、確認や修正等が行われ、赤目補正の確認完了に応じて、出力画像データがデータ変換部６６に送られ、次のコマに対するファインスキャンデータの画像処理を行う。
【００７３】
また、前述のように、７コマ目〜１２コマ目の画像処理と並行して、１３コマ目〜１８コマの検定が行われているが、この検定中には、１０コマ目の赤目補正処理が終了するので、その時点で、検定を中断して、赤目補正の確認画面の表示および赤目補正確認が行われ、確認完了後に、検定が再開される。
なお、当然のことであるが、１３コマ目〜１８コマ目の検定画像の作成終了時に、８コマ目の赤目補正確認が行われていたら、検定は、この赤目補正確認を完了した後に行われる。
【００７４】
７コマ目〜１２コマ目までの出力画像データを出力し、かつ、１３コマ目〜１８コマ目までの検定が終了すると、画像処理部６２は、１３コマ目から、ファインスキャンデータの処理を開始する。
他方、１３コマ目〜１８コマ目までの検定が終了し、かつ、１９コマ目〜２４コマ目までのファインスキャンが終了すると、１９コマ目から検定画像の作成を開始し、以下、２４コマ目の出力画像データのデータ変換部６６への出力まで、同様に、処理が行われる。
【００７５】
以上の例では、赤目補正を行ったコマ（赤目コマ）については、赤目補正処理が終了した時点で、即座に、赤目補正の確認画面を表示して、赤目補正確認を行っている（随時確認方式）。
本発明の画像処理方法の別の態様は、赤目補正処理を行った毎に、随時、赤目補正確認を行うのではなく、全赤目コマの赤目補正処理を終了した後に、各赤目コマについて赤目補正確認を行う（一括確認方式）。
【００７６】
一括確認方式でも、前記随時確認方式と同様に、プレスキャンとファインスキャンの２回の画像読取を行う通常モードと、ファインスキャンのみの１回の画像読取しか行わない行う高速モードとがある。
ここで、一括確認方式でも、通常モードにおけるプレスキャンやファインスキャン、高速モードにおけるプレ測光やファインスキャン、検定の操作や赤目補正結果の確認など、随時確認方式と同様の作用および操作も多いので、先と同様、以下の説明では、異なる点を主に行う。
【００７７】
まず、図６（Ａ）を参照して、一括確認方式における通常モードの一例について説明する。
随時確認方式の通常モードと同様、本態様でも、スキャナ１２が２４コマ目〜１コマ目までのプレスキャンを連続的に行い、画像処理装置１４の信号処理部５０が処理して、各コマのプレスキャンデータをｐＦＭ５２に記憶させる。
ｐＦＭ５２に全コマのプレスキャンデータが記憶されると、セットアップ部５８が、１コマ目から、ファインスキャンの読取条件を決定し、かつ画像処理条件を設定して、スキャナ１２、検定処理部６０および画像処理部６２に送る。
【００７８】
１コマ目〜６コマ目の画像処理条件が設定されると、検定処理部６０が１コマ目からプレスキャンデータを処理して検定画像データとし、データ変換部６４がこれを検定画像としてディスプレイ１８に表示する。
１コマ目〜６コマ目の検定画像が表示されると、同様に、検定および赤目コマのマークが行われる。本例でも、先と同様に、４コマ目が赤目コマとしてマークされたとする。
【００７９】
１コマ〜６コマの検定が終了すると、オペレータによって出力指示が出され、１コマ目から、　順次、　ファインスキャンおよび画像処理を開始する。
また、画像処理条件の設定が終了していれば、同時に、次の６コマ（７コマ目〜１２コマ目）に対する検定画像の作成および表示を開始する。
【００８０】
先と同様、スキャナ１２がファインスキャンを行うと、信号処理部５０が画像信号を処理して、ファインスキャンデータをｆＦＭ５４に記憶させる。
ｆＦＭ５４にファインスキャンデータが記憶されると、画像処理部６２が読み出して、決定された画像処理条件で画像処理を行い、さらに、赤目コマには赤目補正処理を行い、出力画像データとする。
【００８１】
ここで、一括確認方式では、赤目コマに対する赤目補正確認は、全赤目コマの赤目補正処理が終了した後に行う。本例においては、全コマの画像処理を終了した後に最後にまとめて、赤目コマの赤目補正確認を行う。
そのため、赤目コマ以外は、画像処理を終了したら、データ変換部６６に出力画像データを送る。他方、赤目コマは、画像処理部６２が、赤目補正処理前後の出力画像データを記憶しておく。また、データ変換部６６は、供給された出力画像データを、順次、処理して、プリンタ２２に送る。
【００８２】
一方で、１コマ目〜６コマ目のファインスキャンおよび画像処理と並行して、７コマ目〜１２コマ目の検定画像の作成および表示を行っており、６コマの検定画像を表示した時点で、同様に、検定が行われ、また、赤目コマのマークが行われる。図示例でも、同様に８コマ目と１０コマ目が、マークされたとする。
ここで、前述のように、一括確認方式では、赤目補正結果の確認を最後に行うので、赤目コマの赤目補正処理に関わらず、検定は中断されずに６コマ全ての検定が行われる。
【００８３】
７コマ目〜１２コマ目の検定が終了したら、次いで、１３コマ目〜１８コマ目の検定画像の作成、表示を行い、６コマの検定画像の作成に応じて検定および赤目コマのマーク（本例では、赤目コマ無し）が行われ、次いで、同様に、１９コマ目〜２４コマ目の検定画像の作成、および検定等が行われる。
これと並行して、各コマのファインスキャンおよび画像処理（あるいはさらに、８コマ目と１０コマ目では赤目補正処理）が、順次、行われ、赤目コマ以外は、順次、データ変換部６６に出力画像データが送られ、赤目コマは、赤目補正処理前後の出力画像データが記憶される。なお、検定に時間がかかり、ファインスキャンが検定に追いついてしまった場合には、ファインスキャンを停止して、検定の進行を待つ。
【００８４】
２４コマ目のファインスキャンデータの画像処理を終了したら、画像処理部６２は、記憶していた４コマ目の赤目補正前後の画像データを、ディスプレイ１８に対応するデータ変換部６４に送る。
データ変換部６４は、前述の図５（Ｂ）に示されるような赤目補正画面をディスプレイ１８に表示し（本態様では、背後に検定画面は無い）、オペレータによって赤目補正確認が行われ、必要に応じて修正等が行われた後に、赤目補正がＯＫ（確認完了）であれば、確定ボタンが押下される。
これに応じて、画像処理部６２は、赤目補正処理を行った４コマ目の出力画像データをデータ変換部６６に送る。
【００８５】
４コマ目の出力画像データを送ったら、次いで、画像処理部６２は、８コマ目の画像データをデータ変換部６４に送り、同様に、赤目補正の確認、確認完了に応じて、赤目補正処理を行った８コマ目の出力画像データをデータ変換部６６に送り、さらに、１０コマ目に対しても、同様に処理を行い、このフィルムＦの処理が終了する。
【００８６】
次いで、図６（Ｂ）を参照して、一括確認方式における高速モードの一例について説明する。
随時確認方式の高速モードと同様、一括確認方式においても、高速モードでは、スキャナ１２が１コマ目〜２４コマ目まで、連続的に、プレ測光およびファインズキャンを行い、信号処理部５０が、画像信号を処理してファインスキャンデータとプレスキャンデータを生成し、プレスキャンデータはｐＦＭ５２に、ファインスキャンデータはｆＦＭ５４にそれぞれ記憶させる。
プレスキャンデータがｐＦＭ５２に記憶されると、セットアップ部５８が読み出して、各コマの画像処理条件を設定し、検定処理部６０および画像処理部６２に設定する。
【００８７】
最初の６コマ（１コマ目〜６コマ目）のファインスキャンおよび画像処理条件の設定が終了したら、検定処理部６０が画像処理を行い、検定画像データをデータ変換部６４に送って検定画像として表示させる。
先と同様に、この６コマの検定画像を表示すると、オペレータによって、１コマ目〜６コマ目の検定および赤目コマのマークが行われる（先と同様に、４コマ目がマーク）。
【００８８】
１コマ目〜６コマ目の検定が終了し、出力指示がされると、画像処理部６２が、１コマ目からファインスキャンデータを読み出し、画像処理あるいはさらに赤目補正処理を行う。
なお、先の通常モードと同様、一括確認方式では、高速モードでも、赤目コマに対する赤目補正確認は全コマの画像処理を終了した後に最後にまとめて行うので、画像処理部６２は、赤目コマ以外は出力画像データをデータ変換部６６に送り、赤目コマは、赤目補正処理前後の画像データを記憶する。
【００８９】
また、前の６コマの検定が終了し、かつ次の６コマ（７コマ目〜１２コマ目）のファインスキャンが終了した時点で、この６コマの検定画像を作成、表示し、６コマの検定画像を表示すると、この６コマに対する検定および赤目コマのマーク（同様に、８コマ目と１０コマ目にマーク）が行われる。
これと並行して、１コマ目〜６コマ目の画像処理が行われているが、前述のように、一括確認方式では、赤目補正結果の確認を最後に行うので、赤目コマの赤目補正処理に関わらず、検定は中断されずに６コマ目まで全て行われる。
【００９０】
１コマ目〜６コマ目までの出力画像データの出力が終了し、かつ、７コマ目〜１２コマ目までの検定が終了すると、画像処理部６２は、７コマ目から、ファインスキャンデータの画像処理を開始する。
他方、７コマ目〜１２コマ目までの検定が終了し、かつ、１３コマ目〜１８コマ目までのファインスキャンが終了すると、１３コマ目〜１８コマの検定画像を作成し、６コマの検定画像を表示すると、これに対する検定および赤目コマのマークが行われる（赤目コマ無し）。
【００９１】
以下、同様に、７コマ目〜１２コマ目までの出力画像データを出力し、かつ、１３コマ目〜１８コマ目までの検定が終了すると、画像処理部６２は、１３コマ目から、ファインスキャンデータの処理を開始する。
さらに、１３コマ目〜１８コマ目までの検定が終了し、かつ、１９コマ目〜２４コマ目までのファインスキャンが終了すると、１９コマ目から検定画像の作成を開始し、以下、２４コマ目の出力画像データのデータ変換部６６への出力まで、同様に、処理が行われる。
【００９２】
２４コマ目のファインスキャンデータの画像処理が終了したら、画像処理部６２は、記憶していた４コマ目の赤目補正前後の画像データを、ディスプレイ１８に対応するデータ変換部６４に送り、以下、前記通常モードと同様、４コマ目の赤目補正の確認、確認完了に応じて、赤目補正処理を行った４コマ目の出力画像データをデータ変換部６６に送り、さらに、８コマ目、１０コマ目と、順次、同様の処理を行い、このフィルムＦの処理が終了する。
【００９３】
一括確認方式では、プリンタ２２によるプリント作成順と、コマ番号順とが異なってしまう。この不都合を回避するために、赤目コマ以外の出力画像データを何処かに記憶しておき、赤目コマの赤目補正確認が終了した後に、各コマの順番に応じて、プリンタ２２でプリント作成を行うようにしてもよい。
生産性を重視する場合には、出力画像データは、コマ番号によらず、即時、プリントを作成するのが好ましく、後の作業性を重視する場合には、出力画像データを記憶して、コマ番号どおりにプリントを作成するのが好ましいので、フォトプリンタの要求性能等に応じて、何れかを選択すればよい。あるいは、フォトプリンタにおいて、例えば、産性モードと作業性モードのように、両者をモードとして設定して、選択できるようにしてもよい。
【００９４】
以上の説明より明らかなように、本発明の４つの画像処理方法（随時確認方式の通常モードと高速モード、および、一括確認方式の通常モードと高速モード）によれば、デジタルフォトプリンタにおけるプリント作成において、検定と共に赤目補正を行う赤目コマを指定して、赤目コマに関しては画像処理と共に赤目補正処理を行って、さらに、赤目補正結果を確認できる。従って、本発明によれば、デジタルフォトプリンタにおいて、従来の同時プリント工程と、ほぼ同様の操作や作業で、赤目補正処理を行うことができる。すなわち、本発明によれば、同時プリント工程に赤目補正機能を組み込んで、赤目を補正した高品質なプリントを良好な生産性で作成できる。
【００９５】
以上、本発明の画像処理方法について詳細に説明したが、本発明は上記実施例に限定はされず、本発明の要旨を逸脱しない範囲において、各種の改良および変更を行ってもよいのはもちろんである。
【００９６】
例えば、図示例においては、好ましい態様として、赤目補正の確認画面で、赤目補正処理前の画像と、赤目補正処理後の画像の両者を表示しているが、本発明は、これに限定はされず、赤目補正処理を施した画像のみを表示して、赤目補正結果の確認を行うようにしてもよい。
また、図示例においては、一括確認方式の際に、全コマの処理を終了した後に、ディスプレイ表示による赤目補正結果の確認を行っているが、本発明はこれに限定はされず、全赤目コマに対する赤目補正処理を終了した時点で、各赤目コマの赤目補正結果の確認を行ってもよい。
また、図示例においては、一括確認方式の際に、赤目補正結果の確認を、１コマずつ表示して行っているが、本発明は、これに限定はされず、複数コマあるいは全コマの赤目補正結果を表示して、赤目補正確認を行ってもよい。
さらに、本発明の画像処理方法を実施する際には、随時確認方式と一括確認方式とを選択可能にしてもよい。
【００９７】
また、図示例においては、赤目補正を行った画像（プリントや画像ファイル）のみを出力しているが、本発明は、これに限定はされず、赤目補正を行った画像と、赤目補正を行わない画像との、２つの画像を出力してもよい。
【００９８】
【発明の効果】
以上、詳細に説明したように、本発明によれば、デジタルフォトプリンタによるプリント作成において、いわゆる同時プリント工程で、良好な操作性および生産性で、赤目補正処理を含むプリント作成を行うことができる。
【図面の簡単な説明】
【図１】本発明の赤目補正方法の一例を実施する本発明の画像処理装置の一例を有するデジタルフォトプリンタの一例のブロック図である。
【図２】図１に示されるデジタルフォトプリンタのスキャナの概念図である。
【図３】図１に示されるデジタルフォトプリンタの画像処理装置のブロック図である。
【図４】（Ａ）および（Ｂ）は、本発明の画像処理方法の一例のタイムチャートを模式的に示す図である。
【図５】（Ａ）は本発明の画像処理方法における検定画面の、（Ｂ）は同赤目補正結果の確認画面の、それぞれ一例の概念図である。
【図６】（Ａ）および（Ｂ）は、本発明の画像処理方法の別の態様のタイムチャートを模式的に示す図である。
【符号の説明】
１０　（デジタル）フォトプリンタ
１２　スキャナ
１４　画像処理装置
１８　ディスプレイ
２０　操作系
２２　プリンタ
２４　光源
２６　ドライバ
２８　拡散ボックス
３０　キャリア
３２　結像レンズユニット
３４　読取部
３６　アンプ
３８　Ａ／Ｄ変換器
４０　搬送ローラ対
４２，４４　マスク
５０　信号処理部
５２　ｐＦＭ（プレスキャンメモリ）
５４　ｆＦＭ（ファインスキャンメモリ）
５６　入力処理部
５８　セットアップ部
６０　検定処理部
６２　画像処理部
６４，６６　データ変換部
７０　赤目補正手段
【図１】
2004112390.tif 000003
【図２】
2004112390.tif 000004
【図３】
2004112390.tif 000005
【図４】
2004112390.tif 000006
【図５】
2004112390.tif 000007
【図６】
2004112390.tif 000008